(57)【要約】Ｓ−ＣＳＣＦがノード再開などの要因により加入者データを消失した事を検出すると、Ｓ−ＣＳＣＦは、ＳＩＰ  Ｒｅｓｅｔ信号を送信し、加入者データを消失した事を隣接するＰ−ＣＳＣＦへ通知する。ＳＩＰ  Ｒｅｓｅｔ信号を受信したＰ−ＣＳＣＦは、ＳＩＰ  Ｒｅｓｅｔ信号を送信したＳ−ＣＳＣＦにレジストレーションしていた加入者を検索し、該当する場合にはＳ−ＣＳＣＦの加入者データが消失した事を識別するフラグ制御をＰ−ＣＳＣＦのレジストレーション情報に対して行うとともに、Ｓ−ＣＳＣＦに対してＳＩＰ  Ｒｅｇｉｓｔｅｒ信号を送信する。ＳＩＰ  Ｒｅｇｉｓｔｅｒ信号を受信したＳ−ＣＳＣＦは既存手順のレジストレーション処理を行う事で、加入者データベースＨＳＳから消失した加入者データを再構築することとした。
2008123562.tif 000002
【特許請求の範囲】
【請求項１】
加入者端末であるＳＩＰ（Ｓｅｓｓｉｏｎ  Ｉｎｉｔｉａｔｉｏｎ  Ｐｒｏｔｏｃｏｌ）端末とアクセスネットワークを経由して接続されるＰ−ＣＳＣＦ（Ｐｒｏｘｙ  Ｃａｌｌ  Ｓｅｓｓｉｏｎ  Ｃｏｎｔｒｏｌ  Ｆｕｎｃｔｉｏｎ）と、前記ＳＩＰ端末が契約している事業者の提供エリア内にあるＳ−ＣＳＣＦ（Ｓｅｒｖｉｎｇ  Ｃａｌｌ  Ｓｅｓｓｉｏｎ  Ｃｏｎｔｒｏｌ  Ｆｕｎｃｔｉｏｎ）と、ユーザの加入情報を格納しているＨＳＳ（Ｈｏｍｅ  Ｓｕｂｓｃｒｉｂｅｒ  Ｓｅｒｖｅｒ）と、を備えたＩＭＳ（ＩＰ  Ｍｕｌｔｉｍｅｄｉａ  Ｓｕｂｓｙｓｔｅｍ）ネットワークシステムにおいて
前記Ｓ−ＣＳＣＦは、
レジストレーション処理により取得した加入者データ消失時に隣接する前記Ｐ−ＣＳＣＦにＳＩＰ  Ｒｅｓｅｔ信号を送信する機能と、
該ＳＩＰ  Ｒｅｓｅｔ信号に応答して前記Ｐ−ＣＳＣＦから送信されたＳＩＰ  Ｒｅｇｉｓｔｅｒ信号を受信する機能と、
該受信したＳＩＰ  Ｒｅｇｉｓｔｅｒ信号により再レジストレーション処理を行って前記ＨＳＳから前記消失した加入者データをリストアする機能
を備えていることを特徴とする加入者データリストア方式ＩＭＳネットワークシステム。
【請求項２】
前記Ｐ−ＣＳＣＦは、
前記ＳＩＰ  Ｒｅｓｅｔ信号を受信したとき前記Ｓ−ＣＳＣＦにレジストレーションしている加入者を当該Ｐ−ＣＳＣＦのレジストレーション情報から検索する機能と、
該当する加入者のレジストレーション情報に対して前記Ｓ−ＣＳＣＦの加入者データが消失した事を識別するためのフラグ制御を行う機能と、
前記Ｓ−ＣＳＣＦに対して前記該当する加入者のＳＩＰ  Ｒｅｇｉｓｔｅｒ信号を送信する機能と、
該送信したＳＩＰ  Ｒｅｇｉｓｔｅｒ信号に対する前記Ｓ−ＣＳＣＦからの応答信号を受信して前記フラグ制御を解除する機能
を備えていることを特徴とする請求項１に記載の加入者データリストア方式ＩＭＳネットワークシステム。
【請求項３】
前記Ｐ−ＣＳＣＦは、
前記ＳＩＰ  Ｒｅｓｅｔ信号を受信したとき前記Ｓ−ＣＳＣＦにレジストレーションしていた加入者を当該Ｐ−ＣＳＣＦのレジストレーション情報から検索する機能と、
該当する加入者のレジストレーション情報に対して前記Ｓ−ＣＳＣＦの加入者データが消失した事を識別するためのフラグ制御を行う機能と、
該フラグ制御が行われているＳＩＰ端末からのＳＩＰ  ＩＮＶＩＴＥ発信要求を受信したとき該ＳＩＰ端末に該当する加入者のＳＩＰ  Ｒｅｇｉｓｔｅｒ信号を前記Ｓ−ＣＳＣＦに送信する機能と、
該送信したＳＩＰ  Ｒｅｇｉｓｔｅｒ信号に対する前記Ｓ−ＣＳＣＦからの応答信号を受信して前記フラグ制御を解除した後、前記ＳＩＰ  ＩＮＶＩＴＥ発信要求に対する発信手順を実施する機能
を備えていることを特徴とする請求項１に記載の加入者データリストア方式ＩＭＳネットワークシステム。
【請求項４】
加入者端末であるＳＩＰ端末とアクセスネットワークを経由して接続されるＰ−ＣＳＣＦと、前記ＳＩＰ端末が契約している事業者の提供エリア内にあるＳ−ＣＳＣＦと、ユーザの加入情報を格納しているＨＳＳと、を備えたＩＭＳネットワークシステムにおいて、
前記Ｓ−ＣＳＣＦは、
レジストレーション処理を行う際の前記ＨＳＳに送出するＤｉａｍｅｔｅｒ  ＳＡＲ信号に、前記ＳＩＰ  Ｒｅｇｉｓｔｅｒ信号を送出したＰ−ＣＳＣＦのアドレス情報を設定して送信する機能と、前記レジストレーション処理により取得した加入者データ消失時にＳＩＰ  ＩＮＶＩＴＥ着信要求を受信したとき前記Ｐ−ＣＳＣＦのアドレス情報を含まないＤｉａｍｅｔｅｒ  ＳＡＲ信号を前記ＨＳＳに送信する機能と、
該Ｐ−ＣＳＣＦのアドレス情報を含まないＤｉａｍｅｔｅｒ  ＳＡＲ信号に応答して前記ＨＳＳから送信される前記Ｐ−ＣＳＣＦのアドレス情報を設定したＤｉａｍｅｔｅｒ  ＳＡＡ号を受信する機能と、
該受信したＤｉａｍｅｔｅｒ  ＳＡＡ号により再レジストレーション処理を行って前記消失した加入者データおよび前記Ｐ−ＣＳＣＦのアドレス情報をリストアする機能と、
該リストアされた加入者データにより前記ＳＩＰ  ＩＮＶＩＴＥ着信要求の着信処理を行う機能
を備えていることを特徴とする加入者データリストア方式ＩＭＳネットワークシステム。
【請求項５】
前記ＨＳＳは、
前記Ｓ−ＣＳＣＦからＰ−ＣＳＣＦのアドレス情報を含まないＤｉａｍｅｔｅｒ  ＳＡＲ信号を受信したとき、前記レジストレーション処理の際に記憶したＰ−ＣＳＣＦのアドレス情報を設定したＤｉａｍｅｔｅｒ  ＳＡＡ信号を前記Ｓ−ＣＳＣＦに送信する機能を備えていることを特徴とする請求項４に記載の加入者データリストア方式ＩＭＳネットワークシステム。
【請求項６】
前記ＩＭＳネットワークシステムは、各ユーザの加入状況に応じて前記Ｓ−ＣＳＣＦにより起動されて個々のアプリケーションサービスの処理を行うＡＳ（Ａｐｐｌｉｃａｔｉｏｎ  Ｓｅｒｖｅｒ）を備えており、
前記ＡＳは、
前記レジストレーション処理により取得した加入者データ消失時に前記Ｓ−ＣＳＣＦにＳＩＰ  Ｒｅｓｅｔ信号を送信する機能と、
該ＳＩＰ  Ｒｅｓｅｔ信号に応答して前記Ｓ−ＣＳＣＦから送信されたＳＩＰ  Ｒｅｇｉｓｔｅｒ信号を受信する機能と、
該受信したＳＩＰ  Ｒｅｇｉｓｔｅｒ信号により再レジストレーション処理を行って前記ＨＳＳから前記消失した加入者データをリストアする機能を備えていることを特徴とする請求項１〜５のいずれか１項に記載の加入者データリストア方式ＩＭＳネットワークシステム。
【請求項７】
前記Ｓ−ＣＳＣＦは、
前記ＳＩＰ  Ｒｅｓｅｔ信号を受信したとき前記ＡＳにレジストレーションしている加入者を当該Ｓ−ＣＳＣＦのレジストレーション情報から検索する機能と、
該当する加入者のレジストレーション情報に対して前記ＡＳの加入者データが消失した事を識別するためのフラグ制御を行う機能と、
前記ＡＳに対して前記該当する加入者のＳＩＰ  Ｒｅｇｉｓｔｅｒ信号を送信する機能と、
該送信したＳＩＰ  Ｒｅｇｉｓｔｅｒ信号に対する前記ＡＳからの応答信号を受信して前記フラグ制御を解除する機能
を備えていることを特徴とする請求項６に記載の加入者データリストア方式ＩＭＳネットワークシステム。
【請求項８】
前記Ｓ−ＣＳＣＦは、
前記ＳＩＰ  Ｒｅｓｅｔ信号を受信したとき前記ＡＳにレジストレーションしている加入者を当該Ｓ−ＣＳＣＦのレジストレーション情報から検索する機能と、
該当する加入者のレジストレーション情報に対して前記ＡＳの加入者データが消失した事を識別するためのフラグ制御を行う機能と、
該フラグ制御が行われているＳＩＰ端末からのＳＩＰ  ＩＮＶＩＴＥ発信要求を受信したとき該ＳＩＰ端末に該当する加入者のＳＩＰ  Ｒｅｇｉｓｔｅｒ信号を前記ＡＳに送信する機能と、
該送信したＳＩＰ  Ｒｅｇｉｓｔｅｒ信号に対する前記ＡＳからの応答信号を受信して前記フラグ制御を解除した後、前記ＳＩＰ  ＩＮＶＩＴＥ発信要求に対する発信手順を実施する機能
を備えていることを特徴とする請求項６に記載の加入者データリストア方式ＩＭＳネットワークシステム。
【請求項９】
前記Ｓ−ＣＳＣＦは、
前記ＳＩＰ  Ｒｅｓｅｔ信号を受信したとき前記ＡＳにレジストレーションしている加入者を当該Ｓ−ＣＳＣＦのレジストレーション情報から検索する機能と、
該当する加入者のレジストレーション情報に対して前記ＡＳの加入者データが消失した事を識別するためのフラグ制御を行う機能と、
該フラグ制御が行われているＳＩＰ端末からのＳＩＰ  ＩＮＶＩＴＥ着信要求を受信したとき該ＳＩＰ端末に該当する加入者のＳＩＰ  Ｒｅｇｉｓｔｅｒ信号を前記ＡＳに送信する機能と、
該送信したＳＩＰ  Ｒｅｇｉｓｔｅｒ信号に対する前記ＡＳからの応答信号を受信して前記フラグ制御を解除した後、前記ＳＩＰ  ＩＮＶＩＴＥ着信要求に対する着信手順を実施する機能
を備えていることを特徴とする請求項６に記載の加入者データリストア方式ＩＭＳネットワークシステム。
【請求項１０】
加入者端末であるＳＩＰ端末と、該ＳＩＰ端末が直接アクセスするＰ−ＣＳＣＦと、前記ＳＩＰ端末が直接契約している事業者の提供エリア内にあるＳ−ＣＳＣＦと、ユーザの加入状況に応じて前記Ｓ−ＣＳＣＦにより起動されて個々のアプリケーションサービスの処理を行うＡＳと、ユーザの加入情報を格納しているＨＳＳと、を有するネットワークシステムにおける加入者データリストア方法であって、
前記Ｓ−ＣＳＣＦは、レジストレーション処理により取得した加入者データを消失した時、隣接する前記Ｐ−ＣＳＣＦにＳＩＰ  Ｒｅｓｅｔ信号を送信し、該ＳＩＰ  Ｒｅｓｅｔ信号に応答して前記Ｐ−ＣＳＣＦから送信されたＳＩＰ  Ｒｅｇｉｓｔｅｒ信号を受信し、該受信したＳＩＰ  Ｒｅｇｉｓｔｅｒ信号により再レジストレーション処理を行って前記ＨＳＳから前記消失した加入者データをリストアすることを特徴とする加入者データリストア方法。
【請求項１１】
前記Ｐ−ＣＳＣＦは、前記ＳＩＰ  Ｒｅｓｅｔ信号を受信したとき前記Ｓ−ＣＳＣＦにレジストレーションしている加入者を当該Ｐ−ＣＳＣＦのレジストレーション情報から検索し、該当する加入者のレジストレーション情報に対して前記Ｓ−ＣＳＣＦの加入者データが消失した事を識別するためのフラグ制御を行うとともに、前記Ｓ−ＣＳＣＦに対して前記該当する加入者のＳＩＰ  Ｒｅｇｉｓｔｅｒ信号を送信し、該送信したＳＩＰ  Ｒｅｇｉｓｔｅｒ信号に対する前記Ｓ−ＣＳＣＦからの応答信号を受信して前記フラグ制御を解除することを特徴とする請求項１０に記載の加入者データリストア方法。
【請求項１２】
前記Ｐ−ＣＳＣＦは、前記ＳＩＰ  Ｒｅｓｅｔ信号を受信したとき前記Ｓ−ＣＳＣＦにレジストレーションしていた加入者を当該Ｐ−ＣＳＣＦのレジストレーション情報から検索し、該当する加入者のレジストレーション情報に対して前記Ｓ−ＣＳＣＦの加入者データが消失した事を識別するためのフラグ制御を行うとともに、該フラグ制御が行われているＳＩＰ端末からのＳＩＰ  ＩＮＶＩＴＥ発信要求を受信したとき該ＳＩＰ端末に該当する加入者のＳＩＰ  Ｒｅｇｉｓｔｅｒ信号を前記Ｓ−ＣＳＣＦに送信し、該送信したＳＩＰ  Ｒｅｇｉｓｔｅｒ信号に対する前記Ｓ−ＣＳＣＦからの応答信号を受信して前記フラグ制御を解除した後、前記ＳＩＰ  ＩＮＶＩＴＥ発信要求に対する発信手順を実施することを特徴とする請求項１０に記載の加入者データリストア方法。
【請求項１３】
加入者端末であるＳＩＰ端末と、該ＳＩＰ端末が直接アクセスするＰ−ＣＳＣＦと、前記ＳＩＰ端末が直接契約している事業者の提供エリア内にあるＳ−ＣＳＣＦと、ユーザの加入状況に応じて前記Ｓ−ＣＳＣＦにより起動されて個々のアプリケーションサービスの処理を行うＡＳと、ユーザの加入情報を格納しているＨＳＳと、を有するＩＭＳネットワークシステムにおける加入者データリストア方法であって、
前記Ｓ−ＣＳＣＦは、レジストレーション処理を行う際の前記ＨＳＳに送出するＤｉａｍｅｔｅｒ  ＳＡＲ信号に、前記ＳＩＰ  Ｒｅｇｉｓｔｅｒ信号を送出したＰ−ＣＳＣＦのアドレス情報を設定して送信し、前記レジストレーション処理により取得した加入者データを消失している時にＳＩＰ  ＩＮＶＩＴＥ着信要求を受信したとき、前記Ｐ−ＣＳＣＦのアドレス情報を含まないＤｉａｍｅｔｅｒ  ＳＡＲ信号を前記ＨＳＳに送信し、該Ｐ−ＣＳＣＦのアドレス情報を含まないＤｉａｍｅｔｅｒ  ＳＡＲ信号に応答して前記ＨＳＳから送信された前記Ｐ−ＣＳＣＦのアドレス情報を設定したＤｉａｍｅｔｅｒ  ＳＡＡ信号を受信し、該受信したＤｉａｍｅｔｅｒ  ＳＡＡ信号により再レジストレーション処理を行って前記消失した加入者データおよび前記Ｐ−ＣＳＣＦのアドレス情報をリストアすることを特徴とする加入者データリストア方法。
【請求項１４】
前記ＨＳＳは、前記Ｓ−ＣＳＣＦからＰ−ＣＳＣＦのアドレス情報を含まないＤｉａｍｅｔｅｒ  ＳＡＲ信号を受信したとき、前記レジストレーション処理の際に記憶したＰ−ＣＳＣＦのアドレス情報を設定したＤｉａｍｅｔｅｒ  ＳＡＡ信号を前記Ｓ−ＣＳＣＦに送信することを特徴とする請求項１３に記載の加入者データリストア方法。
【請求項１５】
前記ＡＳは、前記レジストレーション処理により取得した加入者データを消失した時に前記Ｓ−ＣＳＣＦにＳＩＰ  Ｒｅｓｅｔ信号を送信し、該ＳＩＰ  Ｒｅｓｅｔ信号に応答して前記Ｓ−ＣＳＣＦから送信されたＳＩＰ  Ｒｅｇｉｓｔｅｒ信号を受信し、該受信したＳＩＰ  Ｒｅｇｉｓｔｅｒ信号により再レジストレーション処理を行って前記ＨＳＳから前記消失した加入者データをリストアすることを特徴とする請求項１０〜１４のいずれか１項に記載の加入者データリストア方法。
【請求項１６】
前記Ｓ−ＣＳＣＦは、前記ＳＩＰ  Ｒｅｓｅｔ信号を受信したとき前記ＡＳにレジストレーションしている加入者を当該Ｓ−ＣＳＣＦのレジストレーション情報から検索し、該当する加入者のレジストレーション情報に対して前記ＡＳの加入者データが消失した事を識別するためのフラグ制御を行い、前記ＡＳに対して前記該当する加入者のＳＩＰ  Ｒｅｇｉｓｔｅｒ信号を送信し、該送信したＳＩＰ  Ｒｅｇｉｓｔｅｒ信号に対する前記ＡＳからの応答信号を受信して前記フラグ制御を解除することを特徴とする請求項１５に記載のネットワークシステムにおける加入者データリストア方法。
【請求項１７】
前記Ｓ−ＣＳＣＦは、前記ＳＩＰ  Ｒｅｓｅｔ信号を受信したとき前記ＡＳにレジストレーションしている加入者を当該Ｓ−ＣＳＣＦのレジストレーション情報から検索し、該当する加入者のレジストレーション情報に対して前記ＡＳの加入者データが消失した事を識別するためのフラグ制御を行い、該フラグ制御が行われているＳＩＰ端末からのＳＩＰ  ＩＮＶＩＴＥ発信要求を受信したとき該ＳＩＰ端末に該当する加入者のＳＩＰ  Ｒｅｇｉｓｔｅｒ信号を前記ＡＳに送信し、該送信したＳＩＰ  Ｒｅｇｉｓｔｅｒ信号に対する前記ＡＳからの応答信号を受信して前記フラグ制御を解除した後、前記ＳＩＰ  ＩＮＶＩＴＥ発信要求に対する発信手順を実施することを特徴とする請求項１５に記載の加入者データリストア方法。
【請求項１８】
前記Ｓ−ＣＳＣＦは、前記ＳＩＰ  Ｒｅｓｅｔ信号を受信したとき前記ＡＳにレジストレーションしている加入者を当該Ｓ−ＣＳＣＦのレジストレーション情報から検索し、該当する加入者のレジストレーション情報に対して前記ＡＳの加入者データが消失した事を識別するためのフラグ制御を行い、該フラグ制御が行われているＳＩＰ端末からのＳＩＰ  ＩＮＶＩＴＥ着信要求を受信したとき該ＳＩＰ端末に該当する加入者のＳＩＰ  Ｒｅｇｉｓｔｅｒ信号を前記ＡＳに送信し、該送信したＳＩＰ  Ｒｅｇｉｓｔｅｒ信号に対する前記ＡＳからの応答信号を受信して前記フラグ制御を解除した後、前記ＳＩＰ  ＩＮＶＩＴＥ着信要求に対する着信手順を実施することを特徴とする請求項１５に記載の加入者データリストア方法。
【発明の詳細な説明】
【技術分野】
【０００１】
本発明は、ＩＭＳ（ＩＰ  Ｍｕｌｔｉｍｅｄｉａ  ｓｕｂｓｙｓｔｅｍ）ネットワークシステムに関し、特に加入者データを有しサービス制御を行うＳＩＰ（Ｓｅｓｓｉｏｎ  Ｉｎｉｔｉａｔｉｏｎ  Ｐｒｏｔｏｃｏｌ）サーバにおいて、ノード再開等の要因により加入者データを消失したときの加入者データリストア方法に特徴を有するＩＭＳネットワークシステムに関する。
【背景技術】
【０００２】
音声、ビデオ等のマルチメディア・アプリケーションを、ＩＰ（Ｉｎｔｅｒｎｅｔ  Ｐｒｏｔｏｃｏｌ）をベースとしたパケット通信ネットワーク上で柔軟に提供するために、ＩＭＳ（ＩＰ  Ｍｕｌｔｉｍｅｄｉａ  ｓｕｂｓｙｓｔｅｍ）ネットワークの構築、標準化が、３ＧＰＰ（３ｒｄ  Ｇｅｎｅｒａｔｉｏｎ  Ｐａｒｔｎｅｒｓｈｉｐ  Ｐｒｏｊｅｃｔ）で検討され、それに関連する技術が特許文献１〜３、非特許文献１等に示されている。
図９は、ＩＭＳネットワーク構成の概念図である。ＳＩＰ（Ｓｅｓｓｉｏｎ  Ｉｎｉｔｉａｔｉｏｎ  Ｐｒｏｔｏｃｏｌ）端末（１）は、ＩＭＳネットワークに登録した加入者端末である。Ｐ−ＣＳＣＦ（２）は、ＳＩＰ端末（１）が直接アクセスする呼セッション制御機能（Ｐｒｏｘｙ  Ｃａｌｌ  Ｓｅｓｓｉｏｎ  Ｃｏｎｔｒｏｌ  Ｆｕｎｃｔｉｏｎ）を有するＳＩＰサーバである。Ｓ−ＣＳＣＦ（３）は、ＳＩＰ端末（１）が直接契約している事業者の提供エリア内にあるＳ−ＣＳＣＦ（Ｓｅｒｖｉｎｇ  ＣＳＣＦ）と呼ばれるＳＩＰサーバである。ＡＳ（４）は、Ｓ−ＣＳＣＦ（３）と接続されて異なるサービスで共用される共通イネーブラや、個々のサービスごとの制御を行うアプリケーションサーバ（Ａｐｐｌｉｃａｔｉｏｎ  Ｓｅｒｖｅｒ）である。ＨＳＳ（５）は、ユーザの加入情報を格納しているホーム加入者サーバ（Ｈｏｍｅ  Ｓｕｂｓｃｒｉｂｅｒ  Ｓｅｒｖｅｒ）である。
ＳＩＰ端末（１）は、ＳＩＰプロトコルによるＧｍ−Ｉ／Ｆを介して、レジストレーション手順（ユーザ登録手順）を実施する事によって位置登録され、ＩＭＳネットワークよりＶｏＩＰ（Ｖｏｉｃｅ  ｏｖｅｒ  Ｉｎｔｅｒｎｅｔ  Ｐｒｏｔｏｃｏｌ）による発着信サービスをはじめとするＩＭＳサービスを享受することが可能となる。
Ｐ−ＣＳＣＦ（２）は、ＳＩＰ端末（１）からのＳＩＰ  Ｒｅｇｉｓｔｅｒ信号を受信すると、ＤｉａｍｅｔｅｒプロトコルによるＤｘ−Ｉ／Ｆを介して、加入者データベースであるＨＳＳ（５）からＩＭＳサービスを提供するＳ−ＣＳＣＦ（３）の情報を取得し、ＳＩＰプロトコルによるＭｗ−Ｉ／Ｆを介して、ＳＩＰ  Ｒｅｇｉｓｔｅｒ信号をＳ−ＣＳＣＦ（３）へ送信する。また、レジストレーション手順完了時には、ＳＩＰ端末（１）のＩＰアドレス、Ｓ−ＣＳＣＦ（３）のＩＰアドレスなどのレジストレーション情報を保持し、以後のＩＭＳサービスにおけるＳＩＰ信号の中継制御を実施する。
Ｓ−ＣＳＣＦ（３）は、Ｐ−ＣＳＣＦ（２）からのＳＩＰ  Ｒｅｇｉｓｔｅｒ信号を受信すると、ＤｉａｍｅｔｅｒプロトコルによるＣｘ−Ｉ／Ｆを介して、ＨＳＳ（５）から加入者データを取得し、これを保持する事で以後の発着信サービスを加入者データに従って行う。また、ＨＳＳ（５）からの加入者データに含まれるｉＦＣ（ｉｎｉｔｉａｌ  Ｆｉｌｔｅｒ  Ｃｒｉｔｅｒｉａ）情報に従い、ＳＩＰプロトコルによるＩＳＣ−Ｉ／Ｆを介して、ＡＳ（４）へＳＩＰ  Ｒｅｇｉｓｔｅｒ信号を送信する。レジストレーション手順完了時にＳ−ＣＳＣＦ（３）は、Ｐ−ＣＳＣＦ（２）のＩＰアドレスなどのレジストレーション情報を保持する事で着信サービス時のＰ−ＣＳＣＦ（２）へのルーティングを可能にする。
ＡＳ（４）は、Ｓ−ＣＳＣＦ（３）からのＳＩＰ  Ｒｅｇｉｓｔｅｒ信号を受信すると、ＤｉａｍｅｔｅｒプロトコルによるＳｈ−Ｉ／Ｆを介して、ＨＳＳ（５）から加入者データを取得し、これを保持する事で、以後の発着信サービスを加入者データに従って行う。ＨＳＳ（５）は、全加入者のサービスデータを管理する加入者データベースであり、Ｓ−ＣＳＣＦ（３）、ＡＳ（４）からの要求に従い加入者データを送信する。また、レジストレーション手順においてＰ−ＣＳＣＦ（２）に対して、レジストレーション制御を行うＳ−ＣＳＣＦ（３）を通知し、通知を行ったＳ−ＣＳＣＦ（３）のアドレスを保持する。
ＩＭＳネットワークは、上記に示したように、ＳＩＰ端末（１）からのＳＩＰ  Ｒｅｇｉｓｔｅｒ信号により加入者データベースＨＳＳ（５）からＳ−ＣＳＣＦ（３）、またはＡＳ（４）において発着信サービスを行うのに必要な加入者データを加入者データベースＨＳＳ（５）よりダウンロードし、ＳＩＰ端末（１）からの発着信をはじめとするサービス要求を受けると、加入者データに従ったサービスを提供する。
【特許文献１】特開２００５−０６４６４６号公報
【特許文献２】特開２００６−１０９４７８号公報
【特許文献３】特表２００６−５１７０６４号公報
【非特許文献１】連載ＮＧＮの核となるＩＭＳ｜ＷＢＢ  Ｆｏｒｕｍ，ｈｔｔｐ：／／ｗｂｂ．ｆｏｒｕｍ．ｉｍｐｒｅｓｓｒｄ．ｊｐ／ｓｅｒｉａｌ／ｌｉｓｔ／７８
【発明の開示】
【発明が解決しようとする課題】
【０００３】
関連する技術のＩＭＳネットワークでは、加入者データを有しサービス制御を行うＳ−ＣＳＣＦ（３）、およびＡＳ（４）において、ノード再開等の要因により加入者データが消失した場合のＳＩＰプロトコルによる通知手段、およびＩＭＳノードが起動するレジストレーション制御がない為、Ｓ−ＣＳＣＦ（３）、あるいはＡＳ（４）において、ノード再開等の要因により加入者データが消失した場合には、ユーザからのレジストレーション制御が行われて加入者データが再構築されるまでの間、発着信サービスが提供出来ないという課題がある。
関連する技術のＩＭＳネットワークにおいて、Ｓ−ＣＳＣＦ（３）がノード再開等の要因により加入者データを消失した時の発着信制御について、図１０に示す信号経路図により説明する。
ＩＭＳネットワークに登録しているＳＩＰ端末が、ＳＩＰ  ＩＮＶＩＴＥ（セッション確立要求）信号による発信要求を、アクセスネットワーク経由でＰ−ＣＳＣＦへ送信する（Ｓ  １００１）と、このＳＩＰ  ＩＮＶＩＴＥ信号による発信要求を受信したＰ−ＣＳＣＦは、Ｐ−ＣＳＣＦ内のレジストレーション（ユーザ登録）情報に基づき、ＳＩＰ  ＩＮＶＩＴＥ信号による発信要求を、Ｓ−ＣＳＣＦ（Ｓｅｒｖｉｎｇ  ＣＳＣＦ）へ送信する（Ｓ  １００２）。ＳＩＰ  ＩＮＶＩＴＥ信号による発信要求を受信したＳ−ＣＳＣＦは、発信要求を行ったユーザの加入者データを検索するが、加入者データを消失している為、加入者データが存在しない事を認識する（Ｓ  １００３）。
Ｓ−ＣＳＣＦは、加入者データが存在しない為、発信サービスを提供する事が出来ず、Ｐ−ＣＳＣＦへＳＩＰエラー信号を送信する（Ｓ  １００４）。発信要求に対するＳＩＰエラー信号を受信したＰ−ＣＳＣＦは、ＳＩＰ端末へＳＩＰエラー信号を送信する（Ｓ  １００５）。以上の処理により、ユーザからの発信要求はＩＭＳネットワークにより拒否され、従って、加入者データが再構築されるまでの間発信サービスを提供する事が出来なくなる。
また、発信局よりＳＩＰ  ＩＮＶＩＴＥによる着信要求（Ｓ  １００６）を受信したＳ−ＣＳＣＦは、着信先ユーザの加入者データを検索するが、加入者データを消失している為、加入者データが存在しない事を認識する（Ｓ  １００３）。Ｓ−ＣＳＣＦは、加入者データが存在しない為、着信者がレジストレーション手順を未実施であると判断し、発信局へＳＩＰエラー信号を送信する（Ｓ  １００７）。このため、レジストレーション手順を実施して着信サービスを提供すべきユーザに対しても、着信サービスの提供が不可となる。
本発明の目的は、上記課題に鑑み、ＩＭＳネットワークにおいて、Ｓ−ＣＳＣＦ、およびＡＳがノード再開等に伴う加入者データ消失時において、ＳＩＰ端末からの再ＳＩＰレジストレーション手順の起動に依存せずに消失した加入者データを復旧して、速やかに発着信サービスを可能にする手段を提供することにある。
【課題を解決するための手段】
【０００４】
本発に係る加入者データリストア方式ＩＭＳネットワークシステムは、加入者端末であるＳＩＰ端末とアクセスネットワークを経由して接続されるＰ−ＣＳＣＦと、前記ＳＩＰ端末が契約している事業者の提供エリア内にあるＳ−ＣＳＣＦと、ユーザの加入情報を格納しているＨＳＳと、を備えたＩＭＳネットワークシステムにおいて前記Ｓ−ＣＳＣＦは、レジストレーション処理により取得した加入者データ消失時に隣接する前記Ｐ−ＣＳＣＦにＳＩＰ  Ｒｅｓｅｔ信号を送信する機能と、該ＳＩＰ  Ｒｅｓｅｔ信号に応答して前記Ｐ−ＣＳＣＦから送信されたＳＩＰ  Ｒｅｇｉｓｔｅｒ信号を受信する機能と、該受信したＳＩＰ  Ｒｅｇｉｓｔｅｒ信号により再レジストレーション処理を行って前記ＨＳＳから前記消失した加入者データをリストアする機能を備えていることを特徴とする。
【発明の効果】
【０００５】
本発明によれば、加入者データを有するＩＭＳノードが加入者データを消失した事を、新規のＳＩＰ  Ｒｅｓｅｔ信号によって隣接ノードへ通知を行う事で、隣接ノードが、加入者データを再構築（リストア）する為のＳＩＰレジストレーション手順を即座に行う事が可能となるので、ＩＭＳノードが加入者データを消失したときＳＩＰ端末からのＳＩＰレジストレーション手順に依存せずに速やかにＳＩＰ端末への発着信サービスを提供することができる。
【図面の簡単な説明】
【０００６】
図１は、本発明の第１の実施形態を示す概略図である。
図２は、第１の実施形態におけるＳ−ＣＳＣＦ加入者データ消失時の加入者データリストア手順説明図である。
図３は、本発明の第２の実施形態を示す概略図である。
図４は、第２の実施形態におけるＡＳ加入者データ消失時の加入者データリストア手順説明図である。
図５は、本発明の第３の実施形態を示す、Ｓ−ＣＳＣＦ加入者データ消失時の加入者データリストアをユーザ発信契機で行う手順説明図である。
図６は、本発明の第４の実施形態を示す、ＡＳ加入者データ消失時の加入者データリストアをユーザ発信契機で行う手順説明図である。
図７は、本発明の第５の実施形態を示す、ＡＳ加入者データ消失時の加入者データリストアをユーザ着信契機で行う手順説明図である。
図８は、本発明の第６の実施形態を示す、Ｓ−ＣＳＣＦ加入者データ消失時のリストアをユーザ着信契機で行う手順説明図である。
図９は、ＩＭＳネットワーク構成の概念図である。
図１０は、関連するＩＭＳネットワークにおける加入者データ消失時の発着信制御を示す信号経路図である。
【発明を実施するための最良の形態】
【０００７】
以下、本発明の第１の実施形態を図１及び図２に基づいて説明する。
図１は、本発明の第１の実施形態を示しており、ＩＭＳネットワークにおいて、Ｓ−ＣＳＣＦが加入者データを消失したときのデータリストア手順の概略を示している。
図１において、Ｓ−ＣＳＣＦがノード再開などの要因により加入者データを消失した事を検出（Ｓ  １０１）すると、Ｓ−ＣＳＣＦは、ＳＩＰ  Ｒｅｓｅｔ信号を送信し、加入者データを消失した事を隣接するＰ−ＣＳＣＦへ通知する（Ｓ  １０２）。ＳＩＰ  Ｒｅｓｅｔ信号を受信したＰ−ＣＳＣＦは、ＳＩＰ  Ｒｅｓｅｔ信号を送信したこのＳ−ＣＳＣＦにレジストレーションしていた加入者を検索し、該当する場合にはＳ−ＣＳＣＦの加入者データが消失した事を識別するフラグ制御をＰ−ＣＳＣＦのレジストレーション情報に対して行う（Ｓ  １０３）とともに、このＳ−ＣＳＣＦに対してＳＩＰ  Ｒｅｇｉｓｔｅｒ信号を送信する（Ｓ  １０４）。ＳＩＰ  Ｒｅｇｉｓｔｅｒ信号を受信したＳ−ＣＳＣＦは既存手順のレジストレーション処理を行う事で、加入者データベースＨＳＳから消失した加入者データを再構築する（Ｓ  １０５）。
図２は、第１の実施形態におけるＳ−ＣＳＣＦが加入者データ消失時の加入者データリストアのより詳細な手順を示している。以下、図１〜図２を参照して、本実施形態の動作について説明する。
なお、図２において、ＳＩＰ端末（１）はこのＩＭＳネットワークに登録した加入者端末であり、ＳＩＰ端末（１）からのＳＩＰ  Ｒｅｇｉｓｔｅｒ信号により、図９に示すレジストレーションが実行され、加入者データベースＨＳＳ（５）からＳ−ＣＳＣＦ（３）、またはＡＳ（４）において発着信サービスを行うのに必要な加入者データがダウンロードされており、ＳＩＰ端末（１）からの発着信をはじめとするサービス要求を受けると、Ｓ−ＣＳＣＦ（３）、またはＡＳ（４）は、加入者データに従ったサービスを提供することが可能な状態となっている。
この状態において、Ｓ−ＣＳＣＦ（３）がノード再開等の要因により加入者データを消失した事を検出する（Ｓ  ２０１）と、Ｓ−ＣＳＣＦ（３）は、加入者データを消失した事を通知する為に、隣接するＰ−ＣＳＣＦ（２）へＳＩＰ  Ｒｅｓｅｔ信号を送出する（Ｓ  ２０２）。なお、ＳＩＰ  Ｒｅｓｅｔ信号には加入者データを消失したＳ−ＣＳＣＦ（３）のＩＰアドレス情報を含むものとする。
ＳＩＰ  Ｒｅｓｅｔ信号を受信したＰ−ＣＳＣＦ（２）は、ＳＩＰ  Ｒｅｓｅｔ信号を受信した事を通知する為、Ｓ−ＣＳＣＦ（３）へＳＩＰ  ２００  ＯＫ信号にて応答を送信する（Ｓ  ２０３）。また、Ｐ−ＣＳＣＦ（２）は、ＳＩＰ  Ｒｅｓｅｔ信号上に設定されたＳ−ＣＳＣＦ情報をキーとして、該当Ｓ−ＣＳＣＦ（３）へレジストレーションを行っている加入者を、Ｐ−ＣＳＣＦ（２）におけるレジストレーション情報テーブルより検索する（Ｓ  ２０４）。
検索の結果、加入者データを消失したＳ−ＣＳＣＦ（３）へレジストレーションを行っている加入者が存在した場合には、Ｐ−ＣＳＣＦ（２）における該当加入者のレジストレーション状態を、「不完了」状態に設定（フラグ設定）する処理を行う（Ｓ  ２０５）。その後、Ｓ−ＣＳＣＦ（３）における消失した加入者データを再構築する為、Ｐ−ＣＳＣＦ（２）は、Ｓ−ＣＳＣＦ（３）へＳＩＰ  Ｒｅｇｉｓｔｅｒ信号を送信する（Ｓ  ２０６）。
ＳＩＰ  Ｒｅｇｉｓｔｅｒ信号を受信したＳ−ＣＳＣＦ（３）は、（Ｓ  ２０７）〜（Ｓ  ２１０）に示す既存レジストレーション処理手順にて、ＨＳＳ（５）から加入者データをダウンロードし、加入者データの再構築（リストア）を行った上で、Ｐ−ＣＳＣＦ（２）へＳＩＰ  Ｒｅｇｉｓｔｅｒ信号に対する応答としてＳＩＰ  ２００  ＯＫ信号を送信する。
Ｐ−ＣＳＣＦ（２）は、Ｓ−ＣＳＣＦ（３）からのＳＩＰ  ２００  ＯＫ信号を受信すると、消失した加入者データが再構築された事を認識し、該当加入者のレジストレーション状態を「完了」状態（フラグ解除）へ変更する設定を行う（Ｓ  ２１１）。Ｐ−ＣＳＣＦ（２）では、レジストレーション情報テーブルを全て検索するまでサーチ処理（Ｓ  ２０４）を行い、加入者データを消失したＳ−ＣＳＣＦ（３）へレジストレーションを行っている加入者に対して（Ｓ  ２０４）〜（Ｓ  ２１１）の手順を繰り返す（Ｓ  ２１２）。
以上の手順により、加入者データを消失したＳ−ＣＳＣＦ（３）は、Ｐ−ＣＳＣＦ（２）により起動されたＳＩＰ  Ｒｅｇｉｓｔｅｒ信号によってレジストレーションを行うことができるので、ＳＩＰ端末（１）から再度のＳＩＰ  Ｒｅｇｉｓｔｅｒ信号を受けることなく消失した加入者データを再構築（リストア）することが可能となる。
次に、本発明の第２の実施形態を図３及び図４に基づいて説明する。
図３は、本発明の第２の実施形態を示しており、ＩＭＳネットワークにおいて、ＡＳが加入者データを消失したときのデータリストア手順の概略を示している。
図３において、ＡＳがノード再開などの要因により加入者データを消失した事を検出（Ｓ  ３０１）すると、ＡＳは、ＳＩＰ  Ｒｅｓｅｔ信号を送信し、加入者データを消失した事を隣接するＳ−ＣＳＣＦへ通知する（Ｓ  ３０２）。ＳＩＰ  Ｒｅｓｅｔ信号を受信したＳ−ＣＳＣＦは、ＳＩＰ  Ｒｅｓｅｔ信号を送信したＡＳにレジストレーションしていた加入者を検索し、該当する場合にはＡＳの加入者データが消失した事を識別するフラグ制御をＳ−ＣＳＣＦの加入者データに対して行う（Ｓ  ３０３）とともに、ＡＳに対してＳＩＰ  Ｒｅｇｉｓｔｅｒ信号を送信する（Ｓ  ２０４）。ＳＩＰ  Ｒｅｇｉｓｔｅｒ信号を受信したＡＳは既存手順のレジストレーション処理を行う事で、加入者データベースＨＳＳから消失した加入者データを再構築する（Ｓ  ２０５）。
図４は、第２の実施形態におけるＡＳが加入者データを消失した時の加入者データリストアのより詳細な手順を示している。以下、図３〜図４を参照して、本実施形態の動作について説明する。
ＡＳ（４）がノード再開等の要因により、前記のレジストレーション手順で取得した加入者データを消失した事を検出すると（Ｓ  ４０１）、ＡＳ（４）は、加入者データを消失した事を通知する為、隣接するＳ−ＣＳＣＦ（３）へＳＩＰ  Ｒｅｓｅｔ信号を送出する（Ｓ  ４０２）。なお、ＳＩＰ  Ｒｅｓｅｔ信号には加入者データを消失したＡＳ（４）のＩＰアドレス情報を含むものとする。
ＳＩＰ  Ｒｅｓｅｔ信号を受信したＳ−ＣＳＣＦ（３）は、ＳＩＰ  Ｒｅｓｅｔ信号を受信した事を通知する為、ＡＳ（４）へＳＩＰ  ２００  ＯＫ信号にて応答を送信する（Ｓ  ４０３）。また、Ｓ−ＣＳＣＦ（３）は、ＳＩＰ  Ｒｅｓｅｔ信号上に設定されたＡＳ情報をキーとして、該当ＡＳ（４）へレジストレーションを行っている加入者をＳ−ＣＳＣＦ（３）におけるレジストレーション情報テーブルより検索を行う（Ｓ  ４０４）。
加入者データを消失したＡＳ（４）へレジストレーションを行っている加入者が存在した場合には、Ｓ−ＣＳＣＦ（３）における該当加入者のレジストレーション状態を、「不完了」状態に設定（フラグ設定）する処理を行う（Ｓ  ４０５）。その後、ＡＳ（４）における消失した加入者データを再構築する為、Ｓ−ＣＳＣＦ（３）は、ＡＳ（４）へＳＩＰ  Ｒｅｇｉｓｔｅｒ信号を送信する（Ｓ  ４０６）。
ＳＩＰ  Ｒｅｇｉｓｔｅｒ信号を受信したＡＳ（４）は、（Ｓ  ４０７）〜（Ｓ  ４１０）に示す既存レジストレーション手順にて、ＨＳＳ（５）から加入者データをダウンロードし、加入者データを再構築（リストア）を行った上で、Ｓ−ＣＳＣＦ（３）へＳＩＰ  Ｒｅｇｉｓｔｅｒ信号に対する応答としてＳＩＰ  ２００  ＯＫ信号を送信する。
Ｓ−ＣＳＣＦ（３）は、ＡＳ（４）からのＳＩＰ  ２００  ＯＫ信号を受信すると、消失した加入者データが再構築された事を認識し、該当加入者のレジストレーション状態を「完了」へ変更（フラグ解除）を行う（Ｓ  ４１１）。Ｓ−ＣＳＣＦ（３）では、レジストレーション情報テーブルを全て検索するまでサーチ処理（Ｓ  ４０４）を行い、加入者データを消失したＡＳ（４）へレジストレーションを行っている加入者に対して（Ｓ  ４０４）〜（Ｓ  ４１１）の手順を繰り返す（Ｓ  ４１２）。
以上の手順により、加入者データを消失したＡＳ（４）は、Ｓ−ＣＳＣＦ（３）により起動されたＳＩＰ  Ｒｅｇｉｓｔｅｒ信号によってレジストレーションを行うことができるので、ＳＩＰ端末（１）から再度のＳＩＰ  Ｒｅｇｉｓｔｅｒ信号を受けることなく消失した加入者データを再構築（リストア）することが可能となる。
上記の各実施形態では、ＳＩＰ  Ｒｅｓｅｔ信号（新規）を受信したＰ−ＣＳＣＦ、またはＳ−ＣＳＣＦは、ＳＩＰレジストレーション手順を行う加入者を検索し、ＳＩＰ  Ｒｅｇｉｓｔｅｒ信号を即座に送出することで加入者データの再構築を行ったが、収容加入者数が多いＩＭＳネットワークでは、短時間の内にＳＩＰ  Ｒｅｇｉｓｔｅｒ信号が大量に送受信される為に、一時的にネットワーク負荷が増大する懸念がある。
そこで、ネットワーク負荷を考慮した加入者データリストア手順として、ＳＩＰ  Ｒｅｇｉｓｔｅｒ信号の送信については、ユーザの発着信契機で行う方法も可能である。以下、加入者データリストアをユーザの発着信契機で行う場合の実施形態について説明する。
次に、本発明の第３の実施形態を図５を用いて説明する。
図５は、本発明の第３の実施形態を示す、Ｓ−ＣＳＣＦ加入者データ消失時の加入者データリストアをユーザ発信契機で行う場合の手順説明図である。本実施形態の動作を、図５を参照して説明する。
Ｓ−ＣＳＣＦ（３）は、ノード再開等の要因により加入者データを消失した事を検出すると（Ｓ  ５０１）、加入者データを消失した事を通知する為、隣接するＰ−ＣＳＣＦ（２）へＳＩＰ  Ｒｅｓｅｔ信号を送出する（Ｓ  ５０２）。なお、ＳＩＰ  Ｒｅｓｅｔ信号には加入者データを消失したＳ−ＣＳＣＦ（３）のＩＰアドレス情報を含むものとする。
ＳＩＰ  Ｒｅｓｅｔ信号を受信したＰ−ＣＳＣＦ（２）は、ＳＩＰ  Ｒｅｓｅｔ信号を受信した事を通知する為、Ｓ−ＣＳＣＦ（３）へＳＩＰ  ２００  ＯＫ信号にて応答を送信する（Ｓ  ５０３）。また、Ｐ−ＣＳＣＦ（２）は、ＳＩＰ  Ｒｅｓｅｔ信号上に設定されたＳ−ＣＳＣＦ情報をキーとして、該当Ｓ−ＣＳＣＦ（３）へレジストレーションを行っている加入者をＰ−ＣＳＣＦ（２）におけるレジストレーション情報テーブルより検索を行う（Ｓ  ５０４）。
加入者データを消失したＳ−ＣＳＣＦ（３）へレジストレーションを行っている加入者が存在した場合には、Ｐ−ＣＳＣＦ（２）における該当加入者のレジストレーション状態を「不完了」に設定（フラグ設定）を行う（Ｓ  ５０５）。レジストレーション情報テーブルを全て検索するまでサーチ処理（Ｓ  ５０４）を行い、加入者データを消失したＳ−ＣＳＣＦ（３）へレジストレーションを行っている加入者に対して（Ｓ  ５０５）の手順を繰り返す（Ｓ  ５０６）。
ユーザが発信操作を行う（Ｓ  ５０７）と、ＳＩＰ端末（１）はＳＩＰ  ＩＮＶＩＴＥ信号により発信要求をＰ−ＣＳＣＦ（２）に対して行う（Ｓ  ５０８）。ＳＩＰ  ＩＮＶＩＴＥ信号を受信したＰ−ＣＳＣＦ（２）は、該当加入者のレジストレーション情報テーブルを検索し、手順（Ｓ  ５０４）〜（Ｓ  ５０５）にて設定したレジストレーション状態の判定を行い、レジストレーション状態が「不完了」である（フラグが設定されている）ことを認識する（Ｓ  ５０９）。
レジストレーション状態が「不完了」であることを認識したＰ−ＣＳＣＦ（２）は、Ｓ−ＣＳＣＦ（３）における消失した加入者データを再構築する為に、Ｓ−ＣＳＣＦ（３）へＳＩＰ  Ｒｅｇｉｓｔｅｒ信号を送信する（Ｓ  ５１０）。ＳＩＰ  Ｒｅｇｉｓｔｅｒ信号を受信したＳ−ＣＳＣＦ（３）は、（Ｓ  ５１１）〜（Ｓ  ５１３）に示す既存レジストレーション手順にて、ＨＳＳ（５）から加入者データをダウンロードし、加入者データの再構築（リストア）を行った上で、Ｐ−ＣＳＣＦ（２）へＳＩＰ  Ｒｅｇｉｓｔｅｒ信号に対する応答としてＳＩＰ  ２００  ＯＫ信号を送信する（Ｓ  ５１４）。
Ｐ−ＣＳＣＦ（２）は、Ｓ−ＣＳＣＦ（３）からのＳＩＰ  ２００  ＯＫ信号を受信すると、消失した加入者データが再構築された事を認識し、該当加入者のレジストレーション状態を「完了」へ変更（フラグを解除）する設定を行う（Ｓ  ５１５）。加入者のレジストレーション状態が「完了」になると、Ｐ−ＣＳＣＦ（２）は既存手順によりＩＮＶＩＴＥ発信処理を実施する（Ｓ  ５１６）。
本実施形態によれば、Ｐ−ＣＳＣＦ（２）がＳＩＰ  ＩＮＶＩＴＥ信号を受信する毎に、Ｓ−ＣＳＣＦ（３）は当該ＳＩＰ  ＩＮＶＩＴＥ信号を発信したＳＩＰ端末の加入者データをリストアする構成としているので、短時間の内にＳＩＰ  Ｒｅｇｉｓｔｅｒ信号が大量に送受信されることがなくなり、ネットワーク負荷が一時的に増大する恐れはなくなる。
次に、本発明の第４の実施形態を図６を用いて説明する。
図６は、本発明の第４の実施形態を示す、ＡＳ加入者データ消失時の加入者データリストアをユーザ発信契機で行う手順説明図である。本実施形態の動作を、図６を参照して説明する。
ＡＳ（４）は、ノード再開等の要因により加入者データを消失した事を検出すると（Ｓ  ６０１）、加入者データを消失した事を通知する為、隣接するＳ−ＣＳＣＦ（３）へＳＩＰ  Ｒｅｓｅｔ信号を送出する（Ｓ  ６０２）。なお、ＳＩＰ  Ｒｅｓｅｔ信号には加入者データを消失したＡＳ（４）のＩＰアドレス情報を含むものとする。
ＳＩＰ  Ｒｅｓｅｔ信号を受信したＳ−ＣＳＣＦ（３）は、ＳＩＰ  Ｒｅｓｅｔ信号を受信した事を通知する為、ＡＳ（４）へＳＩＰ  ２００  ＯＫ信号にて応答を送信する（Ｓ  ６０３）。また、Ｓ−ＣＳＣＦ（３）は、ＳＩＰ  Ｒｅｓｅｔ信号上に設定されたＡＳ情報をキーとして、該当ＡＳ（４）へレジストレーションを行っている加入者をＳ−ＣＳＣＦ（３）における加入者データより検索を行う（Ｓ  ６０４）。
加入者データを消失したＡＳ（４）へレジストレーションを行っている加入者が存在した場合には、Ｓ−ＣＳＣＦ（３）における該当加入者のレジストレーション状態を、「不完了」状態に設定（フラグ設定）処理する（Ｓ  ６０５）。Ｓ−ＣＳＣＦ（３）は、加入者データを全て検索するまでサーチ処理（Ｓ  ６０４）を行い、加入者データを消失したＡＳ（４）へレジストレーションを行っている加入者に対して（Ｓ  ６０５）の手順を繰り返す（Ｓ６０６）。
ユーザが発信操作を行う（Ｓ  ６０７）と、ＳＩＰ端末（１）はＳＩＰ  ＩＮＶＩＴＥ信号により発信要求をＰ−ＣＳＣＦ（２）に対して行う（Ｓ  ６０８）。ＳＩＰ  ＩＮＶＩＴＥ信号を受信したＰ−ＣＳＣＦ（２）は、ＳＩＰ  ＩＮＶＩＴＥ信号上のＳ−ＣＳＣＦ（３）アドレス情報に従って、ＳＩＰ  ＩＮＶＩＴＥ信号をＳ−ＣＳＣＦ（３）に対して送信する（Ｓ  ６０９）。ＳＩＰ  ＩＮＶＩＴＥ信号を受信したＳ−ＣＳＣＦ（３）は、該当加入者の加入者データテーブルを検索し、手順（６０４）〜（６０５）にて設定したレジストレーション状態の判定を行い、レジストレーション状態が「不完了」であることを認識する（Ｓ  ６１０）。
レジストレーション状態が「不完了」であることを認識したＳ−ＣＳＣＦ（３）は、ＡＳ（４）における消失した加入者データを再構築する為に、ＡＳ（４）へＳＩＰ  Ｒｅｇｉｓｔｅｒ信号を送信する（Ｓ  ６１１）。ＳＩＰ  Ｒｅｇｉｓｔｅｒ信号を受信したＡＳ（４）は、（Ｓ  ６１２）〜（Ｓ  ６１５）に示す既存レジストレーション手順にて、ＨＳＳ（５）から加入者データをダウンロードし、加入者データを再構築（リストア）を行った上で、Ｓ−ＣＳＣＦ（３）へＳＩＰ  Ｒｅｇｉｓｔｅｒ信号に対する応答としてＳＩＰ  ２００  ＯＫ信号を送信する。
ＡＳ（４）からのＳＩＰ  ２００  ＯＫ信号を受信すると、Ｓ−ＣＳＣＦ（３）は消失した加入者データが再構築された事を認識し、該当加入者のレジストレーション状態を「完了」へ変更（フラグ解除）する処理を行う（Ｓ  ６１６）。加入者のレジストレーション状態が「完了」になると、Ｓ−ＣＳＣＦ（３）は既存手順によりＩＮＶＩＴＥ発信処理を実施する（Ｓ  ６１７）。
本実施形態によれば、Ｓ−ＣＳＣＦ（３）がＰ−ＣＳＣＦ（２）からＳＩＰ  ＩＮＶＩＴＥ信号を受信する毎に、ＡＳ（４）は当該ＳＩＰ  ＩＮＶＩＴＥ信号を発信したＳＩＰ端末の加入者データをリストアする構成としているので、短時間の内にＳＩＰ  Ｒｅｇｉｓｔｅｒ信号が大量に送受信されることがなくなり、ネットワーク負荷が一時的に増大する恐れはなくなる。
次に、本発明の第５の実施形態を図７を用いて説明する。
図７は、本発明の第５の実施形態を示す、ＡＳ加入者データ消失時の加入者データリストアをユーザ着信契機で行う手順説明図である。本実施形態の動作を、図７を参照して説明する。
ＡＳ（４）は、ノード再開等の要因により加入者データを消失した事を検出すると（Ｓ  ７０１）、加入者データを消失した事を通知する為、隣接するＳ−ＣＳＣＦ（３）へＳＩＰ  Ｒｅｓｅｔ信号を送出する（Ｓ  ７０２）。なお、ＳＩＰ  Ｒｅｓｅｔ信号には加入者データを消失したＡＳ（４）のＩＰアドレス情報を含むものとする。
ＳＩＰ  Ｒｅｓｅｔ信号を受信したＳ−ＣＳＣＦ（３）は、ＳＩＰ  Ｒｅｓｅｔ信号を受信した事を通知する為、ＡＳ（４）へＳＩＰ  ２００  ＯＫ信号にて応答を送信する（Ｓ  ７０３）。また、Ｓ−ＣＳＣＦ（３）は、ＳＩＰ  Ｒｅｓｅｔ信号上に設定されたＡＳ情報をキーとして、該当ＡＳ（４）へＲｅｇｉｓｔｒａｔｉｏｎを行っている加入者を着Ｓ−ＣＳＣＦ（３）における加入者データより検索を行う（Ｓ  ７０４）。
加入者データを消失したＡＳ（４）へレジストレーションを行っている加入者が存在した場合には、Ｓ−ＣＳＣＦ（３）における該当加入者のレジストレーション状態を、「不完了」状態に設定（フラグ設定）処理する（Ｓ  ７０５）。Ｓ−ＣＳＣＦ（３）は、加入者データを全て検索するまでサーチ処理（Ｓ  ７０４）を行い、加入者データを消失したＡＳ（４）へレジストレーションを行っている加入者に対して（Ｓ  ７０５）の手順を繰り返す（Ｓ  ７０６）。
ＡＳ（４）にて加入者データを消失された加入者へのＳＩＰ  ＩＮＶＩＴＥ着信要求（Ｓ  ７０７）をＳ−ＣＳＣＦ（３）が受信すると、Ｓ−ＣＳＣＦ（３）は、該当加入者の加入者データテーブルを検索し、手順（Ｓ  ７０４）〜（Ｓ  ７０５）にて設定したレジストレーション状態の判定を行い、レジストレーション状態が「不完了」であることを認識する（Ｓ  ７０８）。
レジストレーション状態が「不完了」であることを認識したＳ−ＣＳＣＦ（３）は、ＡＳ（４）における消失した加入者データを再構築する為に、ＡＳ（４）へＳＩＰ  Ｒｅｇｉｓｔｅｒ信号を送信する（Ｓ  ７０９）。ＳＩＰ  Ｒｅｇｉｓｔｅｒ信号を受信したＡＳ（４）は、（Ｓ  ７１０）〜（Ｓ  ７１３）に示す既存レジストレーション手順にて、ＨＳＳ（５）から加入者データをダウンロードし、加入者データを再構築（リストア）を行った上で、Ｓ−ＣＳＣＦ（３）へＳＩＰ  Ｒｅｇｉｓｔｅｒ信号に対する応答としてＳＩＰ  ２００  ＯＫ信号を送信する。
ＡＳ（４）からのＳＩＰ  ２００  ＯＫ信号を受信すると、Ｓ−ＣＳＣＦ（３）は消失した加入者データが再構築された事を認識し、該当加入者のＲｅｇｉｓｔｒａｔｉｏｎ状態を「完了」へ変更（フラグ解除）する処理を行う（Ｓ  ７１４）。加入者のレジストレーション状態が「完了」になると、Ｓ−ＣＳＣＦ（３）は既存手順によりＩＮＶＩＴＥ着信処理を実施する（Ｓ  ７１５）。
本実施形態によれば、Ｓ−ＣＳＣＦ（３）がＳＩＰ  ＩＮＶＩＴＥ着信要求信号を受信する毎に、ＡＳ（４）は着信要求を受けたＳＩＰ端末の加入者データをリストアする構成としているので、短時間の内にＳＩＰ  Ｒｅｇｉｓｔｅｒ信号が大量に送受信されることがなくなり、ネットワーク負荷が一時的に増大する恐れはなくなる。
次に、本発明の第６の実施形態を図８を用いて説明する。
図８は、本発明の第６の実施形態を示す、Ｓ−ＣＳＣＦ加入者データ消失時のリストアをユーザ着信契機で行う手順説明図である。
Ｓ−ＣＳＣＦにおける加入者データ消失時における着信ＩＮＶＩＴＥ契機での加入者データリストア手順では、ＨＳＳはレジストレーションしているＳ−ＣＳＣＦアドレスのみ管理しており、Ｐ−ＣＳＣＦアドレスを管理していない事から、Ｓ−ＣＳＣＦではＰ−ＣＳＣＦへ着信ＩＮＶＩＴＥ起動を行う事が出来ない。この為、図５〜図７（第３〜第５の実施形態）で説明した加入者データリストア手順では不完全である。
そこで本実施形態では、ＳＩＰ端末（１）によるＳＩＰレジストレーション（ユーザ登録）時に、Ｓ−ＣＳＣＦが取得したＰ−ＣＳＣＦのアドレス情報をＳ−ＣＳＣＦ（３）における加入者データリストア手順で利用する為にＨＳＳに送信して登録する手順を付加する。以下、本実施形態の動作を、図８を参照して説明する。
ＳＩＰ端末（１）が、ＳＩＰレジストレーション（ユーザ登録）を行う為、ＳＩＰ  Ｒｅｇｉｓｔｅｒ信号をＰ−ＣＳＣＦ（２）へ送出したとき（Ｓ  ８０１）、このＳＩＰ  Ｒｅｇｉｓｔｅｒ信号を受信したＰ−ＣＳＣＦ（２）は、既存手順（Ｓ  ８０２）〜（Ｓ  ８０３）を行う事でＨＳＳ（５）よりレジストレーション先のＳ−ＣＳＣＦ（３）アドレス情報を取得し、Ｓ−ＣＳＣＦ（３）へＳＩＰ  Ｒｅｇｉｓｔｅｒ信号を送出する（Ｓ  ８０４）。
Ｐ−ＣＳＣＦ（２）からＳＩＰ  Ｒｅｇｉｓｔｅｒ信号を受信したＳ−ＣＳＣＦ（３）は、加入者データを要求する為にＨＳＳ（５）へＤｉａｍｅｔｅｒ  ＳＡＲ信号を送出するが、その際、Ｓ−ＣＳＣＦ（３）における加入者データリストア手順で利用する為に、Ｐ−ＣＳＣＦ（２）のアドレス情報を設定して送出する（Ｓ  ８０５）。Ｐ−ＣＳＣＦ（２）アドレス情報が設定されたＤｉａｍｅｔｅｒ  ＳＡＲ信号を受信したＨＳＳ（５）は、Ｐ−ＣＳＣＦ（２）のアドレス情報を加入者データとして記憶し（Ｓ  ８０６）、加入者データを含むＤｉａｍｅｔｅｒ  ＳＡＡ信号をＳ−ＣＳＣＦ（３）へ送出する（Ｓ  ８０７）。
Ｄｉａｍｅｔｅｒ  ＳＡＡ信号を受信したＳ−ＣＳＣＦ（３）は、受信した加入者データを記憶し、ＳＩＰレジストレーションが成功したことを表すＳＩＰ  ２００  ＯＫ信号をＰ−ＣＳＣＦ（２）へ送信する（Ｓ  ８０８）。ＳＩＰ  ２００  ＯＫ信号を受信したＰ−ＣＳＣＦ（２）は、ＳＩＰ端末（１）へＳＩＰ  ２００  ＯＫ信号を送出する（Ｓ  ８０９）。また、Ｓ−ＣＳＣＦ（３）は、ＡＳ（４）の加入者データ構築手順として既存の処理手順（Ｓ  ８１０）〜（Ｓ  ８１３）を実行する。これによりＳＩＰ端末（１）からのＳＩＰレジストレーション手順が完了する。
このＳＩＰレジストレーション状態で、Ｓ−ＣＳＣＦ（３）が、ノード再開等の要因により加入者データを消失した状態（Ｓ  ８１４）において、Ｓ−ＣＳＣＦ（３）にて加入者データを消失した加入者へのＳＩＰ  ＩＮＶＩＴＥ着信要求（Ｓ  ８１５）をＳ−ＣＳＣＦ（３）が受信すると、Ｓ−ＣＳＣＦ（３）は、該当加入者の着信処理を行う為に、加入者データテーブルを検索するが、加入者データを消失している為、該当加入者の加入者データが存在しない事を認識する（Ｓ  ８１６）。
加入者データが無い事を認識したＳ−ＣＳＣＦ（３）は、加入者データを取得する為に、Ｄｉａｍｅｔｅｒ  ＳＡＲ信号をＨＳＳ（５）に送出する（Ｓ  ８１７）。なお、手順（Ｓ  ８１７）におけるＤｉａｍｅｔｅｒ  ＳＡＲ信号には、Ｓ−ＣＳＣＦ（３）にてＰ−ＣＳＣＦ（２）情報を保持していない為、Ｐ−ＣＳＣＦ（２）のアドレス情報は含まれていない。
Ｐ−ＣＳＣＦ（２）のアドレス情報を含まないＤｉａｍｅｔｅｒ  ＳＡＲ信号を受信したＨＳＳ（５）は、加入者データリストアによる加入者データ取得要求と認識し、手順（Ｓ  ８０６）にて記憶したＰ−ＣＳＣＦ（２）アドレス情報を設定したＤｉａｍｅｔｅｒ  ＳＡＡ信号をＳ−ＣＳＣＦ（３）に送信する（Ｓ  ８１８）。Ｄｉａｍｅｔｅｒ  ＳＡＡ信号を受信したＳ−ＣＳＣＦ（３）は、受信した加入者データ、およびＰ−ＣＳＣＦ（２）アドレス情報を記憶する事で加入者データのリストアを完了する（Ｓ  ８１９）。加入者データのリストア手順を完了したＳ−ＣＳＣＦ（３）は、既存手順によりＰ−ＣＳＣＦ（３）へ着信ＩＮＶＩＴＥ信号を送信することにより着信処理を行う（Ｓ  ８２０）。
本実施形態によれば、Ｓ−ＣＳＣＦが着信ＩＮＶＩＴＥ送出先アドレスであるＰ−ＣＳＣＦアドレスを消失しても、Ｓ−ＣＳＣＦはＰ−ＣＳＣＦアドレスをＡＳ（４）からダウンロードまたは、ＡＳ（４）へのブロードキャストなどによるＰ−ＣＳＣＦアドレスの送信要求を行なえる。
即ち、本発明は、ＩＭＳネットワークにおいて、Ｓ−ＣＳＣＦまたはＡＳが、ノード再開等に伴う加入者データの消失時に、加入者データを消失したノードが隣接するノードに対してその旨を通知し、この通知を受けた隣接ノードが、加入者データを消失したノードにおける加入者データ再構築のための制御を起動することによって、ユーザからの電源ＯＮ／ＯＦＦによる再レジストレーション操作を伴わずに消失した加入者データを復旧させることを特徴としている。
具体的には本発明は、加入者端末であるＳＩＰ端末とアクセスネットワークを経由して接続されるＰ−ＣＳＣＦと、前記ＳＩＰ端末が契約している事業者の提供エリア内にあるＳ−ＣＳＣＦと、ユーザの加入情報を格納しているＨＳＳと、を備えたＩＭＳネットワークにおいて、前記Ｓ−ＣＳＣＦは、レジストレーション処理により取得した加入者データ消失時に隣接する前記Ｐ−ＣＳＣＦにＳＩＰ  Ｒｅｓｅｔ信号を送信する機能と、該ＳＩＰ  Ｒｅｓｅｔ信号に応答して前記Ｐ−ＣＳＣＦから送信されたＳＩＰ  Ｒｅｇｉｓｔｅｒ信号を受信する機能と、該受信したＳＩＰ  Ｒｅｇｉｓｔｅｒ信号により再レジストレーション処理を行って前記ＨＳＳから前記消失した加入者データをリストアする機能を備えていることを特徴とする。
また、前記Ｐ−ＣＳＣＦは、前記ＳＩＰ  Ｒｅｓｅｔ信号を受信したとき前記Ｓ−ＣＳＣＦにレジストレーションしている加入者を当該Ｐ−ＣＳＣＦのレジストレーション情報から検索する機能と、該当する加入者のレジストレーション情報に対して前記Ｓ−ＣＳＣＦの加入者データが消失した事を識別するためのフラグ制御を行う機能と、前記Ｓ−ＣＳＣＦに対して前記該当する加入者のＳＩＰ  Ｒｅｇｉｓｔｅｒ信号を送信する機能と、該送信したＳＩＰ  Ｒｅｇｉｓｔｅｒ信号に対する前記Ｓ−ＣＳＣＦからの応答信号を受信して前記フラグ制御を解除する機能を備えた構成とすることができる。
あるいは前記Ｐ−ＣＳＣＦは、前記ＳＩＰ  Ｒｅｓｅｔ信号を受信したとき前記Ｓ−ＣＳＣＦにレジストレーションしていた加入者を当該Ｐ−ＣＳＣＦのレジストレーション情報から検索する機能と、該当する加入者のレジストレーション情報に対して前記Ｓ−ＣＳＣＦの加入者データが消失した事を識別するためのフラグ制御を行う機能と、該フラグ制御が行われているＳＩＰ端末からのＳＩＰ
ＩＮＶＩＴＥ発信要求を受信したとき該ＳＩＰ端末に該当する加入者のＳＩＰ  Ｒｅｇｉｓｔｅｒ信号を前記Ｓ−ＣＳＣＦに送信する機能と、該送信したＳＩＰ  Ｒｅｇｉｓｔｅｒ信号に対する前記Ｓ−ＣＳＣＦからの応答信号を受信して前記フラグ制御を解除した後、前記ＳＩＰ  ＩＮＶＩＴＥ発信要求に対する発信手順を実施する機能を備えた構成とすることができる。
また本発明は、加入者端末であるＳＩＰ端末とアクセスネットワークを経由して接続されるＰ−ＣＳＣＦと、前記ＳＩＰ端末が契約している事業者の提供エリア内にあるＳ−ＣＳＣＦと、ユーザの加入情報を格納しているＨＳＳと、を備えたＩＭＳネットワークにおいて、前記Ｓ−ＣＳＣＦは、レジストレーション処理を行う際の前記ＨＳＳに送出するＤｉａｍｅｔｅｒ  ＳＡＲ信号に、前記ＳＩＰ  Ｒｅｇｉｓｔｅｒ信号を送出したＰ−ＣＳＣＦのアドレス情報を設定して送信する機能と、前記レジストレーション処理により取得した加入者データ消失時にＳＩＰ  ＩＮＶＩＴＥ着信要求を受信したとき前記Ｐ−ＣＳＣＦのアドレス情報を含まないＤｉａｍｅｔｅｒ  ＳＡＲ信号を前記ＨＳＳに送信する機能と、該Ｐ−ＣＳＣＦのアドレス情報を含まないＤｉａｍｅｔｅｒ  ＳＡＲ信号に応答して前記ＨＳＳから送信される前記Ｐ−ＣＳＣＦのアドレス情報を設定したＤｉａｍｅｔｅｒ  ＳＡＡ信号を受信する機能と、該受信したＤｉａｍｅｔｅｒ  ＳＡＡ信号により再レジストレーション処理を行って前記消失した加入者データおよび前記Ｐ−ＣＳＣＦのアドレス情報をリストアする機能と、該リストアされた加入者データにより前記ＳＩＰ  ＩＮＶＩＴＥ着信要求の着信処理を行う機能を備えた構成とすることができる。
この場合前記ＨＳＳは、前記Ｓ−ＣＳＣＦからＰ−ＣＳＣＦのアドレス情報を含まないＤｉａｍｅｔｅｒ  ＳＡＲ信号を受信したとき、前記レジストレーション処理の際に記憶したＰ−ＣＳＣＦのアドレス情報を設定したＤｉａｍｅｔｅｒ  ＳＡＡ信号を前記Ｓ−ＣＳＣＦに送信する機能を備えた構成とする。
また、本発明のＩＭＳネットワークは、各ユーザの加入状況に応じて前記Ｓ−ＣＳＣＦにより起動されて個々のアプリケーションサービスの処理を行うＡＳを更に備えており、前記ＡＳは、前記レジストレーション処理により取得した加入者データ消失時に前記Ｓ−ＣＳＣＦにＳＩＰ  Ｒｅｓｅｔ信号を送信する機能と、該ＳＩＰ  Ｒｅｓｅｔ信号に応答して前記Ｓ−ＣＳＣＦから送信されたＳＩＰ  Ｒｅｇｉｓｔｅｒ信号を受信する機能と、該受信したＳＩＰ  Ｒｅｇｉｓｔｅｒ信号により再レジストレーション処理を行って前記ＨＳＳから前記消失した加入者データをリストアする機能を備えた構成とすることができる。
また本発明のＩＭＳネットワークにおける加入者データリストア方法は、前記Ｓ−ＣＳＣＦが、レジストレーション処理により取得した加入者データを消失した時、隣接する前記Ｐ−ＣＳＣＦにＳＩＰ  Ｒｅｓｅｔ信号を送信し、該ＳＩＰ  Ｒｅｓｅｔ信号に応答して前記Ｐ−ＣＳＣＦから送信されたＳＩＰ  Ｒｅｇｉｓｔｅｒ信号を受信し、該受信したＳＩＰ  Ｒｅｇｉｓｔｅｒ信号により再レジストレーション処理を行って前記ＨＳＳから前記消失した加入者データをリストアすることを特徴とする。
また前記ＡＳが、前記レジストレーション処理により取得した加入者データを消失した時には、前記Ｓ−ＣＳＣＦにＳＩＰ  Ｒｅｓｅｔ信号を送信し、該ＳＩＰ  Ｒｅｓｅｔ信号に応答して前記Ｓ−ＣＳＣＦから送信されたＳＩＰ  Ｒｅｇｉｓｔｅｒ信号を受信し、該受信したＳＩＰ  Ｒｅｇｉｓｔｅｒ信号により再レジストレーション処理を行って前記ＨＳＳから前記消失した加入者データをリストアすることを特徴とする。
即ち、本発明においては、まず、加入者データを有するＩＭＳノード（Ｓ−ＣＳＣＦ、およびＡＳ）が再開等の要因により加入者データを消失した事をＳＩＰ  Ｒｅｓｅｔ信号により隣接ノードに通知する。それにより、隣接ノードでは自ノードに関連する加入者の発着信サービスが提供出来ない状態である事を認識する事が可能となる。そこでこの隣接ノードが、加入者データが消失してしまった加入者に対するレジストレーション手順を実施する。従って、加入者データを有するＩＭＳノードは、加入者データを消失した事を検出した時点で消失した加入者データを即座に再構築することが可能となり、加入者データ消失前と同様の発着信サービスを提供する事が可能となる。
また、上記実施の形態を参照して本発明を説明したが、本発明は、上記実施の形態に限定されるものではない。例えば、実施の形態にかかるデータリストア方式を実現するネットワークとしてＩＭＳネットワークに限って説明したが、本発明は何等これに限定されることはなく、同様な機能を実現するネットワークにも適応できる。即ち、本発明の構成や詳細は、本発明の請求の範囲内で当業者が理解し得る様々な変更を行なうことができる。
この出願は、２００７年４月２日に出願された日本出願特願２００７−０９６８１０号を基礎とする優先権を主張し、その開示の全てをここに取り込む。
【図１】
2008123562.tif 000003
【図２】
2008123562.tif 000004
【図３】
2008123562.tif 000005
【図４】
2008123562.tif 000006
【図５】
2008123562.tif 000007
【図６】
2008123562.tif 000008
【図７】
2008123562.tif 000009
【図８】
2008123562.tif 000010
【図９】
2008123562.tif 000011
【図１０】
2008123562.tif 000012
【国際調査報告】
2008123562.tif 000013
2008123562.tif 000014